(57)【要約】      （修正有）【課題】無線周波数スペクトルを割り当てるシステムを提供する。【解決手段】システムは、フォーリンネットワークデバイス及びドメスティックネットワークデバイスに取り付けられた位置タグ、複数の位置タグを検知するように構成されたリアルタイム位置追跡システム、並びにドメスティックネットワークデバイスと通信する制御ユニットを含む。制御ユニットは、フォーリンネットワークデバイス及びドメスティックネットワークデバイスに関連付けられた近接ポリシーのクエリを行い、該当する近接ポリシーが発見されたとき、ドメスティックネットワークデバイスに対して修正されたネットワーク設定を適用する。発見された近接ポリシーが有効ではなくなったとき、ドメスティックネットワークデバイスに対して、デフォルトネットワーク設定を回復するか、又は修正されたネットワーク設定を新しいデフォルトネットワーク設定として設定する。【選択図】図４
2019024195.tif 000002
【特許請求の範囲】
【請求項１】
無線周波数スペクトルを割り当てるシステムであって、
１つ又は複数の固定型又はモバイル型フォーリンネットワークデバイス（１１０）及び１つ又は複数の固定型又はモバイル型ドメスティックネットワークデバイス（１０８）に関連付けられた１つ又は複数のリアルタイム位置タグ（１２４）を検知するように構成された１つ又は複数のリアルタイム位置追跡システム（１０２）、並びに
前記固定型又はモバイル型ドメスティックネットワークデバイス（１０８）のうちの少なくとも１つと通信する少なくとも１つの制御ユニット（１２０）であって、前記フォーリンネットワークデバイス（１１０）及び前記ドメスティックネットワークデバイス（１０８）に関連付けられた１つ又は複数の近接ポリシーに関してクエリを行い、少なくとも１つの関連付けられた近接ポリシーが発見されたときに、前記ドメスティックネットワークデバイス（１０８）のうちの１つ又は複数に対して、修正されたネットワーク設定を適用し、且つ発見された前記近接ポリシーがもはや有効ではなくなったときに、前記ドメスティックネットワークデバイス（１０８）のうちの前記１つ又は複数に対してデフォルトネットワーク設定を回復するように構成された、少なくとも１つの制御ユニット（１２０）
を備えているシステム。
【請求項２】
前記リアルタイム位置追跡システム（１０２）が、前記位置タグ（１２４）の位置を検知することにより、前記１つ又は複数のフォーリンネットワークデバイス（１１０）及びドメスティックネットワークデバイス（１０８）の位置を追跡するように構成されている、請求項１に記載のシステム。
【請求項３】
前記フォーリンネットワークデバイス（１１０）及び前記ドメスティックネットワークデバイス（１０８）が、１つ又は複数の固定型ネットワークデバイス（１１０−１、１０８−１）及びモバイル型ネットワークデバイス（１１０−２、１０８−２）を含み、前記位置タグ（１２４）が、少なくとも前記モバイル型ネットワークデバイス（１１０−２、１０８−２）に取り付けられている、請求項１又は２に記載のシステム。
【請求項４】
前記フォーリンネットワークデバイス（１１０）が、固定型フォーリンネットワーク（１０６）と通信するように構成され、前記ドメスティックネットワークデバイス（１０８）が、固定型ドメスティックネットワーク（１０４）と通信するように構成され、前記フォーリンネットワークデバイス（１１０）及び前記ドメスティックネットワークデバイス（１０８）のうちの少なくとも１つが、前記固定型フォーリンネットワーク（１０６）と前記固定型ドメスティックネットワーク（１０４）との間で移動可能である、請求項１から３のいずれか一項に記載のシステム。
【請求項５】
前記リアルタイム位置追跡システム（１０２）が、前記固定型フォーリンネットワーク（１０６）及び前記固定型ドメスティックネットワーク（１０４）の内から前記位置タグ（１２４）を検知するように構成されている、請求項１から４のいずれか一項に記載のシステム。
【請求項６】
前記制御ユニット（１２０）が、前記近接ポリシーを読み出すために１つ又は複数のデータベース（１２６）と通信するように構成されている、請求項１から５のいずれか一項に記載のシステム。
【請求項７】
前記近接ポリシーが、前記１つ又は複数のデータベース（１２６）内で読み出し可能に保存され、リアルタイム位置追跡システムタグ識別子が、フォーリンネットワークデバイス識別子、ドメスティックネットワークデバイス識別子、及び近接ポリシーと横断的に関連付けられている、請求項１から６のいずれか一項に記載のシステム。
【請求項８】
無線周波数スペクトルを割り当てる方法であって、
フォーリンネットワークデバイス（１１０）及びドメスティックネットワークデバイス（１０８）の位置を追跡することと、
前記フォーリンネットワークデバイス（１１０）及び前記ドメスティックネットワークデバイス（１０８）に関連付けられた１つ又は複数の近接ポリシーに関してクエリを行うことと、
少なくとも１つの関連付けられた近接ポリシーが発見されたときに、前記ドメスティックネットワークデバイス（１０８）のうちの１つ又は複数に対して、修正されたネットワーク設定を適用することと、
発見された前記近接ポリシーがもはや有効ではなくなったときに、前記ドメスティックネットワークデバイス（１０８）のうちの前記１つ又は複数に対して、デフォルトネットワーク設定を回復するか、又は、前記修正されたネットワーク設定を新しいデフォルトネットワーク設定として設定することと
を含む方法。
【請求項９】
ドメスティックネットワークデバイス（１０８）及びフォーリンネットワークデバイス（１１０）の両方を含む環境内で無線周波数チャネル及びスペクトルを割り当てるための制御ユニット（１２０）であって、請求項８の方法のステップを実行するように構成された１つ又は複数のモジュールを備えている、制御ユニット（１２０）。
【請求項１０】
前記１つ又は複数の近接ポリシーが、１つ又は複数のネットワークデバイスが動作している無線スペクトル、無線チャネル、無線チャネル変調、及び送信器又はエミッタの出力に関する情報を含む１つ又は複数のそれぞれの近接ポリシー設定ファイルに関連付けられている、請求項９に記載の制御ユニット（１２０）。
【請求項１１】
前記１つ又は複数の近接ポリシーのうちの少なくとも１つが、無線スペクトル共存ポリシーに依存して、ドメスティックネットワークデバイス（１０８）内の変更を組み込むためにアップロードされた無線インターフェース設定パラメータ及びオプションに関する情報を含む１つ又は複数のそれぞれの設定変更ファイルに関連付けられている、請求項１０に記載の制御ユニット（１２０）。
【請求項１２】
前記制御ユニット（１２０）は、１つ又は複数の適用可能な近接ポリシーが、ある領域で又は隣接する領域同士の間で発見されたときに、無線インターフェース設定変更決定を行うために、共存管理アルゴリズムを呼び出すようにさらに構成されている、請求項１０又は１１に記載の制御ユニット（１２０）。
【請求項１３】
前記フォーリンネットワークデバイス（１１０）及び前記ドメスティックネットワークデバイス（１０８）が、１つ又は複数の固定型ネットワークデバイス（１１０−１、１０８−１）及びモバイル型ネットワークデバイス（１１０−２、１０８−２）を含み、前記リアルタイム位置追跡モジュールが、前記フォーリンネットワークデバイス（１１０）及び前記ドメスティックネットワークデバイス（１０８）に取り付けられた位置タグ（１２４）を検知することにより、前記フォーリンネットワークデバイス（１１０）及び前記ドメスティックネットワークデバイス（１０８）の前記位置を追跡するように任意選択的に構成され、前記追跡モジュールが、前記位置タグ（１２４）の前記位置を検知するために、１つ又は複数のリアルタイム位置追跡システム（１０２）と通信するように任意選択的に構成されている、請求項９から１２のいずれか一項に記載の制御ユニット（１２０）。
【請求項１４】
前記フォーリンネットワークデバイス（１１０）が、固定型フォーリンネットワーク（１０６）と通信するように構成され、前記ドメスティックネットワークデバイス（１０８）が、固定型ドメスティックネットワーク（１０４）と通信するように構成され、前記フォーリンネットワークデバイス（１１０）及び前記ドメスティックネットワークデバイス（１０８）のうちの少なくとも１つが、前記固定型フォーリンネットワーク（１０６）と前記固定型ドメスティックネットワーク（１０４）との間で移動可能であり、又は、前記追跡モジュールが、前記固定型フォーリンネットワーク（１０６）及び前記固定型ドメスティックネットワーク（１０４）の内から前記フォーリンネットワークデバイス（１１０）及び前記ドメスティックネットワークデバイス（１０８）を検知するように任意選択的に構成されている、請求項９から１３のいずれか一項に記載の制御ユニット（１２０）。
【請求項１５】
前記設定モジュールが、前記１つ又は複数の近接ポリシーを読み出すために、１つ又は複数のデータベース（１２６）と通信するように構成され、前記近接ポリシーが、任意選択的にあらかじめ定義され、且つ前記１つ又は複数のデータベース（１２６）内で読み出し可能に保存されている、請求項９から１４のいずれか一項に記載の制御ユニット（１２０）。
【発明の詳細な説明】
【技術分野】
【０００１】
本開示は、概して、ネットワーク設定に関し、より具体的には、リアルタイム位置に基づいて、ネットワークデバイスを設定且つ制御するシステム及び方法に関する。
【背景技術】
【０００２】
ネットワーク及びネットワークデバイスの有用性は、広がり続け、様々な環境において益々普及している。他の使用又は用途の中でも、ネットワークデバイスは、通常、工場環境、製造施設、屋外作業場、及び関連する環境において実装されている。ネットワークによって可能になる機械、ビークル、タスク等は、特に自動化と共に使用されると、効率性及び生産性を著しく向上させるために使用することができる。ネットワークデバイスには、無人搬送車（ＡＧＶ）などのモバイルデバイス又は車両デバイス、及び固定ネットワークデバイスが含まれ得る。
【０００３】
しかしながら、無線ネットワークデバイスが産業環境において益々一般的になるにつれて、無線ネットワーク無線周波数スペクトルの混雑、同一チャネル干渉、及び共存に関する懸念が表面化し始めている。施設には、例えば、複数のネットワークが組み込まれる場合があり、ネットワークにわたって複数のグループのネットワークデバイスが管理される。サードパーティベンダーによって設けられる”フォーリン”・ネットワークは、建物全体が幾つかの特定のＲＦチャネルに限定されるフォーリンネットワーク又はフォーリンサブネットワークによってカバーされ得るという意味で、通常、建物の幅に広がる。ドメスティック（オペレーターによって供給される）ネットワークも建物の幅に広がるが、より小さなサブネットワークに細分化することができ、ドメスティックデバイスは、あるサブネットワークから別のサブネットワークへとローミングする。例えば、あるＷｉＦｉアクセスポイントが特定のＲＦチャネルで動作しても、物理的に隣接するＷｉＦｉアクセスポイントが異なるＲＦチャネルに設定され、干渉がない状態で建物内のカバレッジがもたらされる。
【０００４】
このような環境でさらに複雑なのは、フォーリンネットワークデバイスがモバイル型である場合であり、割り当てられたタスクを完成させながら近くのドメスティックネットワークのカバレッジ範囲に移動することがある。したがって、自動ネットワーク環境は、混雑又は干渉を防ぐために、多大な時間と注意を必要とする場合がある。
【０００５】
ドメスティックネットワークデバイスとフォーリンネットワークデバイスとの間の干渉を緩和するために、同じスペクトル内でフォーリンネットワークデバイスに割り当てられた周波数チャネルをドメスティックネットワークデバイスに割り当てられた周波数チャネルから分離することが可能である。代替的に、同じ周波数スペクトル内の共存方法として、ドメスティックネットワーク周波数チャネルとフォーリンネットワーク周波数チャネルとの重複に起因する望ましくない干渉を避けるために、固定型又はモバイル型のドメスティックネットワークデバイス上の伝送電力をフォーリンネットワークデバイスにも割り当てられる無線チャネルにおいて恒久的に減少させてもよい。しかしながら、このような技法は、干渉を減らすことはできるが、任意の所与のドメスティックネットワークの固定型又はモバイル型デバイスが利用可能な無線スペクトル全体のカバレジ領域も縮小させる恐れがある。
【０００６】
前に進む前に、本開示は、この背景技術で列挙された又は暗示された幾つかの欠点に対処することができるシステムを対象としていることを理解されたい。しかしながら、このようなあらゆる利点は、添付の特許請求の範囲において明示されていない限り、開示された原理の範囲又は特許請求の範囲を限定するものではない。
【０００７】
さらに、この背景技術の章の議論は、発明者自身の観察、検討、考察を反映したものであり、決して、任意の先行技術の文献又は実施を正確に分類したり、包括的に要約したりすることを意図するものではない。したがって、発明者らは、この章が公認された又は想定された先行技術を表すことを明確に否認する。
【発明の概要】
【０００８】
本開示の一態様に従って、無線周波数スペクトルを割り当てるためのシステムが提供される。当該システムは、１つ又は複数の固定型又はモバイル型フォーリンネットワークデバイス及び固定型又はモバイル型ドメスティックネットワークデバイスに取り付けられた１つ又は複数のリアルタイム位置追跡タグ又はデバイス、１つ又は複数のリアルタイム位置追跡タグを検知するように構成された１つ又は複数のリアルタイム位置追跡システム、並びに固定型又はモバイル型ドメスティックネットワークデバイスのうちの少なくとも１つと通信する少なくとも１つの制御ユニットを含み得る。リアルタイム位置追跡システムは、超音波、無線周波数、光学（カメラ）、光波通信システムなどの広範囲の無線技術のいずれかを含み得る。制御ユニットは、フォーリンネットワークデバイス及びドメスティックネットワークデバイスに関連付けられた１つ又は複数の近接ポリシーに関してクエリを行い、少なくとも１つの関連付けられた近接ポリシーが発見されたときに、ドメスティックネットワークデバイスのうちの１つ又は複数に対して、修正されたネットワーク設定を適用し、且つ発見された近接ポリシーがもはや有効ではなくなったときに、ドメスティックネットワークデバイスのうちの１つ又は複数に対してデフォルトネットワーク設定を回復するように構成され得る。
【０００９】
本開示の別の態様に従って、無線周波数スペクトルを割り当てるための制御ユニットが提供される。制御ユニットは、追跡モジュール及び設定モジュールを含み得る。追跡モジュールは、フォーリンネットワークデバイス及びドメスティックネットワークデバイスの位置を追跡するように構成され得る。設定モジュールは、リアルタイム位置追跡システムタグ識別子が、フォーリンネットワークデバイス識別子、ドメスティックネットワークデバイス識別子、及び近接ポリシーと横断的に関連付けられた１つ又は複数のデータベースから１つ又は複数の近接ポリシーに関するクエリを行うように構成され得、少なくとも１つの関連付けられた近接ポリシーが発見されたときに、ドメスティックネットワークデバイスのうちの１つ又は複数に対して、修正されたネットワーク設定を適用し、且つ発見された近接ポリシーがもはや有効ではなくなったときに、ドメスティックネットワークデバイスのうちの１つ又は複数に対してデフォルトネットワーク設定を回復する。
【００１０】
本開示のさらなる態様に従って、無線スペクトル、限定しないが、無線チャネル制限を含む無線チャネル、無線チャネル変調、及び送信器又はエミッタの出力電力レベルを割り当てるための共存方法が提供される。当該方法は、フォーリンネットワークデバイス及びドメスティックネットワークデバイスの位置を追跡することと、フォーリンネットワークデバイス及びドメスティックネットワークデバイスに関連付けられた１つ又は複数の近接ポリシーに関してクエリを行うことと、少なくとも１つの関連付けられた近接ポリシーが発見されたときに、ドメスティックネットワークデバイスのうちの１つ又は複数に対して、修正されたネットワーク設定を適用することと、発見された近接ポリシーがもはや有効ではなくなったときに、ドメスティックネットワークデバイスのうちの１つ又は複数に対して、デフォルトネットワーク設定を回復するか、又は、修正されたネットワーク設定を新しいデフォルトネットワーク設定として設定することとを含み得る。近接ポリシーは、ドメスティック無線デバイス及びフォーリン無線デバイスのための設定ファイルである。設定ファイルは、フォーリンネットワークデバイスが動作している無線チャネル及びスペクトルの文書化に利用され得る。ドメスティックネットワーク設定変更ファイルは、無線スペクトル共存ポリシーに依存して、ドメスティックネットワークデバイス内の変更を組み込むためにアップロードされた無線インターフェース設定パラメータ及びオプションの文書化に利用され得る。さらに、１つ又は複数の近接ポリシーが、リアルタイム位置追跡システムゾーンで又は近接するゾーン同士の間で発見されたときに、無線インターフェース設定変更決定を行うために、共存管理アルゴリズムが呼び出され得る。位置ゾーンは、物理的無線カバレッジ領域、又はリアルタイム位置追跡システム内で画定された仮想地理位置フェンス（ｖｉｒｔｕａｌ  ｇｅｏ−ｌｏｃａｔｉｏｎ  ｆｅｎｃｅ）のいずれかとして定義される。
【００１１】
上述の特徴、機能、及び利点は、様々な実施形態において単独で実現することが可能であり、或いは、さらに別の実施形態において組み合わせることが可能である。これらの実施形態のさらなる詳細は、以下の説明及び添付図面を参照することによって確認することができる。
【図面の簡単な説明】
【００１２】
【図１】開示された原理の１つ又は複数の実施形態に従って配置されたネットワーク環境内で無線周波数スペクトルを割り当てるための例示的な管理システムの線図である。
【図２】開示された原理の１つ又は複数の実施形態に係る、ネットワーク環境内で無線周波数スペクトルを割り当てるための別の例示的な管理システムの線図である。
【図３】開示された原理の１つ又は複数の実施形態に係る、ネットワーク環境内で無線周波数スペクトルを割り当てるための１つの例示的な制御ユニットの概略図である。
【図４】開示された原理の１つ又は複数の実施形態に係る、ネットワーク環境内で無線周波数スペクトルを割り当てるための１つの例示的な方法のフロー図である。
【発明を実施するための形態】
【００１３】
以下では多くの様々な実施形態の詳細な説明が記載されているが、保護の法的な範囲は、本特許の最後に記載された請求項の言葉によって規定されることを理解されたい。可能な実施形態を全て記載することは不可能ではないとしても非実用的であるため、詳細な説明は、あくまで例示的なものであると解釈されるべきであり、可能な実施形態を全て記載するものではない。現在の技術又は本特許の出願日以降に開発された技術のいずれかを使用して、多くの代替的な実施形態を実装することができ、これらは、依然として保護の範囲を規定する請求項の範囲に含まれる。用語が本明細書で明確に定義されていない限り、その用語の意味を、明示的又は暗示的に、その平易な又は通常の意味を超えて制限する意図はないことも理解されるべきであり、またそのような用語は、請求項の文言以外の本特許のいかなる部分におけるいかなる記述に基づいても範囲が限定されると解釈されるべきではない。本特許の最後の部分の請求項に記載した任意の用語が本明細書において単一の意味と一致するように言及される場合、これは読者を混乱させないための明確性のみを目的とするものであり、そのような請求項の用語が、暗示的に又は他の方法で、その単一の意味に限定されることを意図するものではない。
【００１４】
詳細な議論に移る前に、読者のこれからの理解を助けるために概要が提供される。以上における発明者の背景の観察から明らかであるように、ネットワークの混雑又は干渉の課題を効率良く最小限に留め、利用可能な無線スペクトルを不利に制限しないように、ドメスティックネットワークデバイス及びフォーリンネットワークデバイスの両方のより優れた管理が必要である。開示された原理の様々な実施形態では、ローカルネットワーク範囲内でのフォーリンネットワークデバイスの検知に応じて、ネットワークリソースの一時的使用を可能とするために、１つのネットワーク（例えば、ドメスティックネットワーク）における周波数の使用が動的に修正される。このようにして、フォーリンネットワークデバイスが、ローカルネットワークに進入したときに干渉が最小限となるが、フォーリンネットワークデバイスによるあらゆる侵入がないときには、ローカルネットワークデバイスには完全なローカルスペクトルが利用可能である。
【００１５】
これより図１を参照すると、ネットワーク環境１０２内で無線周波数スペクトルを割り当てるためのネットワーク管理システムの例示的な一実施形態が提供される。ネットワーク環境１０２は、工場環境、製造施設、屋外作業場、又は２つ以上のネットワークを同時に支持する任意の他の環境を表し得る。例えば、図１に示すように、所与のネットワーク環境１０２は、少なくとも１つのローカル又はドメスティックネットワーク１０４、及び少なくとも１つの第三者又はフォーリンネットワーク１０６を利用し得る。さらに、ドメスティックネットワーク１０４は、１つ又は複数のドメスティックネットワークデバイス１０８にサーブし得るが、フォーリンネットワーク１０６は、１つ又は複数のフォーリンネットワークデバイス１１０にサーブし得る。さらに、ドメスティックネットワークデバイス１０８は、施設１０２に対して静止している固定型ネットワークデバイス１０８−１、及び車両用又はさもなければモバイル型のネットワークデバイス１０８−２を含み得る。同様に、フォーリンネットワークデバイス１１０は、固定型ネットワークデバイス１１０−１及びモバイル型ネットワークデバイス１１０−２をさらに含み得る。各固定型ネットワークデバイス１０８−１、１１０−１は、自律的な、半自律的な、又は少なくとも部分的にネットワーク接続に依存する、ツール、装置、ロボット、機械、又は任意の他のデバイスであってもよい。ドメスティックモバイル型ネットワークデバイス１０８−２、及びフォーリンモバイル型デバイス１１０−２は、モバイルであることを除いて、無人搬送車（ＡＧＶ）等の似たようなデバイスを含み得る。
【００１６】
図１に示すように、ドメスティックネットワーク１０４及びフォーリンネットワーク１０６のモバイル型デバイスは、それぞれ、施設１０２内の規定されたゾーン１１２、１１４でリアルタイム位置追跡システム１２２に追跡される。ドメスティックネットワークゾーン１１２は、ドメスティックネットワーク１０４デバイス１０８−１の範囲、及びゾーン１１２内でリアルタイム位置追跡システム１２２が、取り付けられた位置タグ１２４を用いてモバイル型ネットワークデバイス１０８−２、１１０−２を追跡することができる範囲を示すことができる。同様に、フォーリンネットワークゾーン１１４は、フォーリンネットワーク１０６デバイス１１０−１の有効範囲、及びゾーン１１４内でリアルタイム位置追跡システム１２２が、取り付けられた位置タグ１２４を用いてモバイル型ネットワークデバイス１０８−２、１１０−２を追跡することができる範囲を示すことができる。ゾーン１１４は、ドメスティックネットワークゾーン１１２と空間的に重複する場合があり、又は重複しない場合がある。図１で示すようにドメスティックネットワークゾーン１１２及びフォーリンネットワークゾーン１１４、並びに固定型ネットワークデバイス１０８−１、１１０−１は、それぞれ、図２で示すように、施設１０２に対して固定的であり得る。これに対して、モバイル型ネットワークデバイス１０８−２、１１０−２は、それぞれ、いかなる時点でも、ドメスティックネットワークゾーン１１２又はフォーリンネットワークゾーン１１４のいずれかにおいて、出入り自由に移動したり、配置されたりすることができる。ドメスティック又はフォーリンモバイル型ネットワークデバイス１０８ー２、１１０ー２が、ドメスティックネットワークゾーン１１２内に配置されている場合、追跡システム１２２は、確立された仮想地理位置ゾーン１１２内で、位置タグ１２４を介して、モバイル型ネットワークデバイス１０８−２、１１０−２を地理的に位置特定する。同様に、ドメスティック又はフォーリンモバイル型ネットワークデバイス１０８ー２、１１０−２の位置タグ１２４が、フォーリンネットワークゾーン１１４内に配置されている場合、追跡システム１２２は、確立された仮想地理位置ゾーン１１４内で、位置タグ１２４を地理的に位置特定する。
【００１７】
図２を参照すると、別のネットワーク環境又は製造施設１０２が、幾つかのドメスティックネットワークゾーン１１２及びフォーリンネットワークゾーン１１４と共に示されている。図示するように、ドメスティックネットワーク１０４は、複数のドメスティック固定型ネットワークデバイス１０８−１を支持することができ、それぞれ、施設１０２内で搬送路１１６に沿って取り付けられたそれぞれのドメスティックネットワークゾーン１１２を有する。それと同時に、フォーリンネットワーク１０６は、複数のフォーリン固定型ネットワークデバイス１１０−１を支持することができる。固定型ネットワークデバイス１１０−１は、それぞれ、それぞれのフォーリンネットワークゾーン１１４を有し、搬送路１１６間で作業セル１１８内に取り付けられている。
【００１８】
さらに、ドメスティック固定型ネットワークデバイス１０８−１は、無線接続を介して、互いに且つドメスティックネットワーク１０４に連結され得るが、フォーリン固定型ネットワークデバイス１１０−１は、それぞれの無線接続を介して、互いに且つフォーリンネットワーク１０６に連結され得る。さらに、それぞれのモバイル型ネットワークデバイス１０８−２、１１０−２が、搬送路１１６を移動するにつれて、少なくとも１つのネットワークゾーン１１２、１１４と無線接続するように、固定型ネットワークデバイス１０８−１、１１０−１が配置され得る。
【００１９】
図１及び図２で示す実施形態によると、フォーリンネットワークゾーン１１４内に入るドメスティックモバイル型ネットワークデバイス１０８ー２は、フォーリンネットワーク１０６内で確立された他の無線通信に干渉する場合があり、ドメスティックネットワークゾーン１１２内に入るフォーリンモバイル型ネットワークデバイス１１０ー２は、ドメスティックネットワーク１０４内で確立された無線通信に干渉する場合がある。ドメスティックモバイル型ネットワークデバイス１０８−２とフォーリンモバイル型ネットワークデバイス１１０ー２との間の干渉を緩和するため、又は、無線チャネルの共有によって生じ得るその他の厄介な問題に対処するために、ネットワーク管理システムは、デバイス位置に基づいてネットワーク設定を動的に修正するように適応型スキームを実施することができる。ネットワーク設定は、ネットワークアドレス、名前、ホスト名、指数、識別番号、又は各ネットワークデバイス１０８、１１０に割り当てられたその他の割り当てに対応し得る。
【００２０】
管理システムは、ドメスティックネットワーク１０４に適用された際、ドメスティックモバイル型ネットワークデバイス１０８ー２がドメスティックネットワークゾーン１１２内にある限り、ドメスティックモバイル型ネットワークデバイス１０８ー２と使用するために、周波数スペクトルの１つ又は複数のチャネルを一時的に割り当てるように構成され得る。このような割り当ては、ドメスティックモバイル型ネットワークデバイス１０８ー２が範囲内にある限り続くことができ、ネットワークデバイス１０８ー２がもはやドメスティックネットワークゾーン１１２にないときに初期状態に回復する。これは図示されていないが、フォーリンネットワーク１０６内のデバイス１０８ー２は、類似スキームによって管理することができることを理解されたい。
【００２１】
図１に戻ると、一実施形態では、ネットワーク管理システムは、少なくとも１つの制御ユニット１２０、１つ又は複数の追跡システム１２２、１つ又は複数の位置タグ１２４、及び１つ又は複数のデータベース１２６からなる。ネットワーク管理システムは、制御ユニット１２０及び追跡システム１２２のうちの片方又はその両方を介して、ネットワークデバイス１０８のネットワーク設定を管理し、利用可能な周波数スペクトルのチャネルを割り当てるように構成され得、それにより、ネットワークの混雑又は干渉に関連する問題を緩和する。制御ユニット１２０は、コントローラ、マイクロコントローラ、プロセッサ、マイクロプロセッサ、フィールドプログラマブルゲートアレイ（ＦＰＧＡ）、デジタル信号プロセッサ（ＤＳＰ）、及び／又はその他のプログラム可能なデバイスを用いて実装され得る。
【００２２】
追跡システム１２２は、モバイル型ネットワークデバイス１０８−２、１１０−２の位置を追跡する任意の数の異なる技法を使用し得る。例えば、追跡システム１２２は、無線識別（ＲＦＩＤ）、画像又は視覚認識、全地球測位システム（ＧＰＳ）、及び／又は任意の他の適切な追跡技法を使用し得る。
【００２３】
使用される位置タグ１２４の種類は、実施される追跡スキームによって変わり得る。例えば、追跡システム１２２が能動的無線周波数ベースの追跡システムを用いる場合、位置タグ１２４は、モバイル型ネットワークデバイス１０８−２、１１０−２の表面に取り付けられ且つリアルタイム位置追跡システムと無線的に相互作用するように構成された能動的無線周波数タグを利用することができる。その他の追跡技法は、他の形態の位置タグ１２４を利用し得る。
【００２４】
図１に示すように、どの追跡スキームが実施されようと、追跡システム１２２は、位置タグ１２４の近接度又は位置に基づいて、少なくとも、モバイル型ネットワークデバイス  １０８ー２、１１０ー２が所与のネットワークゾーン１１２、１１４に出入りするときを判断するように構成され得る。したがって、追跡システム１２２は、ネットワークゾーン１１２、１１４の外周に近接するように、且つ／又は、モバイル型ネットワークデバイス１０８−２、１１０−２の予期される移動経路（例えば、図２の搬送路１１６）の適切な範囲内に位置付けされてもよい。
【００２５】
さらに、位置タグ１２４はそれぞれ、個別に認識可能であり得る。それにより、追跡システム１２２は、各モバイル型ネットワークデバイス１０８ー２、１１０ー２を識別することが可能である。したがって、制御ユニット１２０は、複数の位置タグ１２４の相対的位置に基づいて、それぞれのモバイル型ネットワークデバイス１０８ー２又は固定型デバイス１０８ー１のネットワーク設定を修正することが可能であり得る。さらに、制御ユニット１２０は、データベース１２６を参照することによって、適用するべき適切な修正を判断することができる。
【００２６】
データベース１２６は、複数のあらかじめ定義された近接ポリシー、又は、所与のネットワークゾーン１１２、１１４に入るモバイル型ネットワークデバイス１０８ー２に対して適用すべき特定の修正を示唆するその他の関連データを読み出し可能に保存することができる。制御ユニット１２０は、モバイル型ネットワークデバイス１０８ー２がネットワークゾーン１１２、１１４から離れる際に、以前のネットワーク設定を回復することができる。
【００２７】
これより図３を参照すると、ネットワーク管理システムの制御ユニット１２０の例示的な一実施形態が提供されている。制御ユニット１２０は、概して種々のモジュールに分類することができる１つ又は複数の組のアルゴリズム又はコードに従って予めプログラムされてもよく、或いは、実行されるタスクの種類によって区別可能なハードウェア及びソフトウェアの組み合わせであってもよい。例えば、図３の実施形態では、制御ユニット１２０は、少なくとも追跡モジュール１２８及び設定モジュール１３０を含むようにあらかじめプログラムされてもよい。概して、追跡モジュール１２８は、位置タグ１２４が取り付けられたモバイル型ネットワークデバイス１０８−２、１１０−２の位置を追跡するように構成され得る。
【００２８】
設定モジュール１３０は、追跡モジュール１２８が収集したモバイル型ネットワークデバイス１０８−２、１１０−２の位置に対応する情報を受信し、効率良いネットワーク接続を維持し且つ干渉を緩和するような態様で、位置情報を使用して無線周波数スペクトルを割り当てるように構成され得る。ここでは実装形態が１つしか提供されていないが、制御ユニット１２０は、同等の機能を実行し且つ／又は同等の結果を生み出す他の任意の適切な構成のアルゴリズム又はコードのモジュラーセットに従ってあらかじめプログラムされ得ることを理解されたい。
【００２９】
より具体的には、図３の追跡モジュール１２８は、個々のドメスティックネットワークデバイス１０８及びフォーリンネットワークデバイス１１０の位置を追跡するように構成され得る。追跡モジュール１２８は、リアルタイムで継続的に、又は、所定の時間間隔に従って周期的に、個々のモバイル型ネットワークデバイス１０８−２、１１０−２を追跡することができる。追跡モジュール１２８は、モバイル型ネットワークデバイス１０８−２、１１０−２に取り付けられた又はその内にある位置タグ１２４を検知することにより、各モバイル型ネットワークデバイス１０８ー２、１１０ー２の近接度を検知することができる。さらに、追跡モジュール１２８は、各モバイル型ネットワークデバイス１０８−２、１１０−２を、その属しているネットワーク１０４、１０６に関係なく追跡することができる。
【００３０】
例えば、モバイル型ネットワークデバイス１０８、１１０が追跡モジュール１２８の読み取り可能な範囲内にある限り、ドメスティックモバイル型ネットワークデバイス１０８ー２をドメスティックネットワーク１０４又はフォーリンネットワーク１０６のいずれにおいても追跡することができ、フォーリンモバイル型ネットワークデバイス１１０ー２をフォーリンネットワーク１０６又はドメスティックネットワーク１０４のいずれにおいても追跡することができる。上述のように、追跡モジュール１２８は、ＲＦＩＤ、画像又は視覚認識、全地球測位システム（ＧＰＳ）、及び／又は任意の他の適切な追跡技法を実装し得る。固定型ネットワークデバイス１０８−１、１１０−１の位置は、追跡されるよりもむしろあらかじめ定義される場合があるが、それにも関わらず、幾つかの適用例では、固定型ネットワークデバイス１０８−１、１１０−１もさらに追跡され得る。
【００３１】
さらに、図３の設定モジュール１３０は、リアルタイム位置又は最新位置に基づいて、各ネットワークデバイス１０８、１１０に割り当てられたネットワーク設定を動的に調節するように構成され得る。例えば、設定モジュール１３０は、各ネットワークデバイス１０８、１１０を、それらに設けられた固有の位置タグ１２４に基づいて、区別且つ識別することが可能であり得る。データベース１２６は、各位置タグ１２４又は識別されたネットワークデバイス１０８、１１０のための近接ポリシーを含み得る。各近接ポリシーは、所与のネットワーク１０４、１０６内にある各ネットワークデバイス１０８、１１０に対して最適なネットワーク設定を示唆することができる。
【００３２】
一実施例では、１つ又は複数のモバイル型ネットワークデバイス１０８−２がドメスティックネットワークゾーン１１２に入った場合、関連付けられた近接ポリシーは、入ってきたドメスティックモバイル型ネットワークデバイス１０８−２による使用のために、ドメスティック無線周波数スペクトルの一部を一時的に割り当てることを示唆し得る。ドメスティックモバイル型ネットワークデバイス１０８−２がドメスティックネットワークゾーン１１２内に留まる限り、この割り当ては持続することができる。１つ又は複数のドメスティックモバイル型ネットワークデバイス１０８−２がドメスティックネットワークゾーン１１２を出た場合、関連付けられた近接ポリシーは、一時的に割り当てられた無線周波数スペクトルの一部をデフォルトのネットワーク設定に回復することを示唆し得る。似たような近接ポリシー及びスキームをフォーリンネットワークゾーン１１４内でデバイス１０８ー２のために利用することができる。
【００３３】
これより図４を参照すると、ドメスティックネットワーク１０４の無線周波数スペクトルを割り当てるある例示的な方法１３２が図式的に示されている。ドメスティックネットワーク１０４の管理に関連して説明がなされているが、似たようなプロセスが、フォーリンネットワーク１０６のうちの１つ又は複数において反映且つ実施され得ることを理解されたい。図示されるように、ブロック１３２−１では、方法１３２は、各ネットワークデバイス１０８、１１０の位置を最初に追跡し得る。
【００３４】
図３の追跡モジュール１２８に関連して説明されるように、例えば、フォーリンデバイス及びドメスティックデバイスの追跡のフロー工程を示す図４の方法１３２は、図１の位置タグ１２４を追跡することにより、各モバイル型ネットワークデバイス１０８ー２、１１０ー２のリアルタイム位置又は最新位置を追跡し得る。方法１３２は、各ドメスティック固定型ネットワークデバイス１０８ー１及び各フォーリン固定型ネットワークデバイス１１０ー１の位置を追加的に認証又はより少ない頻度で追跡し得る。ブロック１３２−２では、方法１３２は、ドメスティックネットワークモバイル型デバイス１０８ー２が、所与のドメスティックネットワーク１０４の範囲内、又は、ドメスティックネットワークゾーン１１２内にあるか否かをさらに判断し得る。
【００３５】
ドメスティックネットワークゾーン１１２内にドメスティックモバイル型ネットワークデバイス１０８ー２が見出されなかった場合、方法１３２は、ブロック１３２−３に進むことができ、デフォルトのネットワーク設定（例えば、ドメスティックネットワーク１０４及びフォーリンネットワーク１０６の両方に普遍的に受け入れられるネットワークの割り当て）を維持又は回復する。方法１３２は、次いで、ブロック１３２−１に戻ることができ、ネットワークデバイス１０８、１１０を継続的に追跡する。
【００３６】
しかしながら、ドメスティックモバイル型ネットワークデバイス１０８ー２が、ドメスティックネットワークゾーン１１２内に移動した場合、図４の方法１３２は、ドメスティックモバイル型ネットワークデバイス１０８ー２に割り当てられたネットワーク設定を動的に調節することに進み得る。例えば、ブロック１３２−４では、方法１３２は、進入してきたドメスティックモバイル型ネットワークデバイス１０８ー２に関連付けられた近接ポリシーに関するクエリを行い得る。より具体的には、方法１３２は、進入してきたドメスティックモバイル型ネットワークデバイス１０８ー２を、その固有の位置タグ１２４を用いて識別し、検知された位置タグ１２４に関連付けられた近接ポリシーについてデータベース１２６を検索し得る。フォーリンモバイル型ネットワークデバイス１１０ー２が、ドメスティックネットワークゾーン１１２内に移動した場合、似たような近接ポリシー及びスキームを利用することができる。
【００３７】
一旦、関連付けられた近接ポリシーがデータベース１２６から読み出されると、ブロック１３２ー５では、方法１３２は、読み出された近接ポリシーに従って、修正されたネットワーク設定をドメスティック固定型ネットワークデバイス１０８−１又は進入してきたドメスティックモバイル型ネットワークデバイス１０８ー２に適用し得る。例えば、近接ポリシーは、ドメスティック無線周波数スペクトルの一部をドメスティック固定型ネットワークデバイス１０８−１又は進入してきたドメスティックモバイル型ネットワークデバイス１０８ー２に一時的に割り当て得る。この割り当ては、フォーリンモバイル型ネットワークデバイス１１０ー２がドメスティックネットワークゾーン１１２内にある限り、同一チャネル干渉によってその他のフォーリンモバイル型ネットワークデバイス１１０−２が干渉されないように、ドメスティックネットワーク１０４とドメスティックモバイル型ネットワークデバイス１０８ー２との間のネットワーク接続性が修正されるよう構成され得る。
【００３８】
一旦、ネットワーク設定又は割り当てに対する任意の修正が実行されると、図４の方法１３２は、ドメスティックモバイル型ネットワークデバイス１０８ー２又はフォーリンモバイル型ネットワークデバイス１１０ー２の位置の追跡を継続するために、反復してブロック１３２−１に戻り得る。家庭内モバイル型ネットワークデバイス１０８ー２又はフォーリンモバイル型ネットワークデバイス１１０ー２がドメスティックネットワークゾーン１１２内にある限り、方法１３２は、ドメスティックネットワークデバイスのために修正されたネットワーク設定を維持し得る。しかしながら、家庭内モバイル型ネットワークデバイス１０８ー２又はフォーリンモバイル型ネットワークデバイス１１０ー２がドメスティックネットワークゾーン１１２から出たことを追跡情報が示す場合、方法１３２は、ブロック１３２−３に再度進み、デフォルトのネットワーク設定を回復し得る。
【００３９】
言い換えると、方法１３２は、続けてドメスティックネットワークゾーン１１２に入る任意の他の家庭内モバイル型ネットワークデバイス１０８ー２又はフォーリンモバイル型ネットワークデバイス１１０ー２による使用のために家庭内無線周波数スペクトルを解放するために、ブロック１３２−５で実行された任意の割り当てを元に戻すことができる。図４の方法１３２は、リアルタイムで又は所定の間隔で、継続的にこのような態様で持続且つ反復し得る。さらに、方法１３２の一実施形態のみが提供されているが、特許請求の範囲から逸脱せずに、他の構成のプロセスも可能であることを理解されたい。
【００４０】
さらに、本開示は、以下の条項に係る実施形態を含む。
【００４１】
条項１
無線周波数スペクトルを割り当てるシステムであって、
１つ又は複数の固定型又はモバイル型フォーリンネットワークデバイス及び１つ又は複数の固定型又はモバイル型ドメスティックネットワークデバイスに関連付けられた１つ又は複数のリアルタイム位置タグを検知するように構成された１つ又は複数のリアルタイム位置追跡システム、並びに
前記固定型又はモバイル型ドメスティックネットワークデバイスのうちの少なくとも１つと通信する少なくとも１つの制御ユニットであって、前記フォーリンネットワークデバイス及び前記ドメスティックネットワークデバイスに関連付けられた１つ又は複数の近接ポリシーに関してクエリを行い、少なくとも１つの関連付けられた近接ポリシーが発見されたときに、前記ドメスティックネットワークデバイスのうちの１つ又は複数に対して、修正されたネットワーク設定を適用し、且つ発見された前記近接ポリシーがもはや有効ではなくなったときに、前記ドメスティックネットワークデバイスのうちの前記１つ又は複数に対してデフォルトネットワーク設定を回復するように構成された、少なくとも１つの制御ユニット
を備えているシステム。
【００４２】
条項２
前記リアルタイム位置追跡システムが、前記位置タグの位置を検知することにより、前記１つ又は複数のフォーリンネットワークデバイス及びドメスティックネットワークデバイスの位置を追跡するように構成されている、条項１に記載のシステム。
【００４３】
条項３
前記フォーリンネットワークデバイス及び前記ドメスティックネットワークデバイスが、１つ又は複数の固定型ネットワークデバイス及びモバイル型ネットワークデバイスを含み、前記位置タグが、少なくとも前記モバイル型ネットワークデバイスに取り付けられる、条項１又は２に記載のシステム。
【００４４】
条項４
前記フォーリンネットワークデバイスが、固定型フォーリンネットワークと通信するように構成され、前記ドメスティックネットワークデバイスが、固定型ドメスティックネットワークと通信するように構成され、前記フォーリンネットワークデバイス及び前記ドメスティックネットワークデバイスのうちの少なくとも１つが、前記固定型フォーリンネットワークと前記固定型ドメスティックネットワークとの間で移動可能である、条項１から３のいずれか一項に記載のシステム。
【００４５】
条項５
前記リアルタイム位置追跡システムが、前記固定型フォーリンネットワーク及び前記固定型ドメスティックネットワークの内から前記位置タグを検知するように構成されている、条項１から４のいずれか一項に記載のシステム。
【００４６】
条項６
前記制御ユニットが、前記近接ポリシーを読み出すために１つ又は複数のデータベースと通信するように構成されている、条項１から５のいずれか一項に記載のシステム。
【００４７】
条項７
前記近接ポリシーが、前記１つ又は複数のデータベース内で読み出し可能に保存され、リアルタイム位置追跡システムタグ識別子が、フォーリンネットワークデバイス識別子、ドメスティックネットワークデバイス識別子、及び近接ポリシーと横断的に関連付けられている、条項１から６のいずれか一項に記載のシステム。
【００４８】
条項８
ドメスティックネットワークデバイス及びフォーリンネットワークデバイスの両方を含む環境内で無線周波数チャネル及びスペクトルを割り当てるための制御ユニットであって、
フォーリンネットワークデバイス及びドメスティックネットワークデバイスの位置を追跡するように構成されたリアルタイム位置システム追跡モジュール、並びに
リアルタイム位置追跡システムタグ識別子が、フォーリンネットワークデバイス識別子、ドメスティックネットワークデバイス識別子、及び近接ポリシーと横断的に関連付けられた１つ又は複数のデータベースから１つ又は複数の近接ポリシーに関するクエリを行うように構成された設定モジュールであって、少なくとも１つの関連付けられた近接ポリシーが発見されたときに、前記ドメスティックネットワークデバイスのうちの１つ又は複数に対して、修正されたネットワーク設定を適用し、且つ発見された前記近接ポリシーがもはや有効ではなくなったときに、前記ドメスティックネットワークデバイスのうちの前記１つ又は複数に対してデフォルトネットワーク設定を回復する、設定モジュール
を備えている制御ユニット。
【００４９】
条項９
前記１つ又は複数の近接ポリシーが、１つ又は複数のネットワークデバイスが動作している無線スペクトル、無線チャネル、無線チャネル変調、及び送信器又はエミッタの出力に関する情報を含む１つ又は複数のそれぞれの近接ポリシー設定ファイルに関連付けられている、条項８に記載の制御ユニット。
【００５０】
条項１０
前記１つ又は複数の近接ポリシーのうちの少なくとも１つが、無線スペクトル共存ポリシーに依存して、ドメスティックネットワークデバイス内の変更を組み込むためにアップロードされた無線インターフェース設定パラメータ及びオプションに関する情報を含む１つ又は複数のそれぞれの設定変更ファイルに関連付けられている、条項９に記載の制御ユニット。
【００５１】
条項１１
前記制御ユニットは、１つ又は複数の適用可能な近接ポリシーが、ある領域で又は隣接する領域同士の間で発見されたときに、共存管理アルゴリズムを呼び出して、無線インターフェース設定変更決定を行うようにさらに構成されている、条項９又は１０に記載の制御ユニット。
【００５２】
条項１２
前記フォーリンネットワークデバイス及び前記ドメスティックネットワークデバイスが、１つ又は複数の固定型ネットワークデバイス及びモバイル型ネットワークデバイスを含む、条項８から１１のいずれか一項に記載の制御ユニット。
【００５３】
条項１３
前記リアルタイム位置追跡モジュールが、フォーリンネットワークデバイス及びドメスティックネットワークデバイスに取り付けられた位置タグを検知することによって、フォーリンネットワークデバイス及びドメスティックネットワークデバイスの位置を追跡するように構成され、追跡モジュールが、位置タグの位置を検知するために１つ又は複数のリアルタイム位置追跡システムと通信するように構成されている、条項８から１２のいずれか一項に記載の制御ユニット。
【００５４】
条項１４
前記フォーリンネットワークデバイスが、固定型フォーリンネットワークと通信するように構成され、前記ドメスティックネットワークデバイスが、固定型ドメスティックネットワークと通信するように構成され、前記フォーリンネットワークデバイス及び前記ドメスティックネットワークデバイスのうちの少なくとも１つが、前記固定型フォーリンネットワークと前記固定型ドメスティックネットワークとの間で移動可能である、条項８から１３のいずれか一項に記載の制御ユニット。
【００５５】
条項１５
前記追跡モジュールが、前記固定型フォーリンネットワーク及び前記固定型ドメスティックネットワークの内から前記フォーリンネットワークデバイス及び前記ドメスティックネットワークデバイスを検知するように構成されている、条項１４に記載の制御ユニット。
【００５６】
条項１６
前記設定モジュールが、前記１つ又は複数の近接ポリシーを読み出すために１つ又は複数のデータベースと通信するように構成されている、条項８から１５のいずれか一項に記載の制御ユニット。
【００５７】
条項１７
前記近接ポリシーが、あらかじめ定義され、且つ前記１つ又は複数のデータベース内で読み出し可能に保存されている、条項１６に記載の制御ユニット。
【００５８】
条項１８
無線周波数スペクトルを割り当てる方法であって、
フォーリンネットワークデバイス及びドメスティックネットワークデバイスの位置を追跡することと、
前記フォーリンネットワークデバイス及び前記ドメスティックネットワークデバイスに関連付けられた１つ又は複数の近接ポリシーに関してクエリを行うことと、
少なくとも１つの関連付けられた近接ポリシーが発見されたときに、前記ドメスティックネットワークデバイスのうちの１つ又は複数に対して、修正されたネットワーク設定を適用することと、
発見された前記近接ポリシーがもはや有効ではなくなったときに、前記ドメスティックネットワークデバイスのうちの前記１つ又は複数に対して、デフォルトネットワーク設定を回復するか、又は、前記修正されたネットワーク設定を新しいデフォルトネットワーク設定として設定することと
を含む方法。
【００５９】
条項１９
前記フォーリンネットワークデバイス及び前記ドメスティックネットワークデバイスが、１つ又は複数の固定型ネットワークデバイス及びモバイル型ネットワークデバイスを含む、条項１８に記載の方法。
【００６０】
条項２０
前記フォーリンネットワークデバイス及び前記ドメスティックネットワークデバイスに取り付けられた位置タグを検知することにより、前記フォーリンネットワークデバイス及び前記ドメスティックネットワークデバイスの位置が追跡され、前記位置タグが、条項１８に記載の方法、リアルタイム位置追跡システムモジュールを使用して追跡される、条項１８又は１９に記載の方法。
【００６１】
条項２１
前記フォーリンネットワークデバイスが、固定型フォーリンネットワークと通信するように構成され、前記ドメスティックネットワークデバイスが、固定型ドメスティックネットワークと通信するように構成され、前記フォーリンネットワークデバイス及び前記ドメスティックネットワークデバイスのうちの少なくとも１つが、前記固定型フォーリンネットワークと前記固定型ドメスティックネットワークとの間で移動可能である、条項１８から２０のいずれか一項に記載の方法。
【００６２】
条項２２
前記フォーリンネットワークデバイス及び前記ドメスティックネットワークデバイスの位置が、前記ドメスティックネットワーク内のリアルタイム位置追跡システムによって、前記固定型フォーリンネットワーク及び前記固定型ドメスティックネットワークから追跡される、条項２１に記載の方法。
【００６３】
条項２３
前記近接ポリシーが、あらかじめ定義され、且つ１つ又は複数のデータベースから読み出される、条項１８から２２のいずれか一項に記載の方法。
【００６４】
上述の記載は、開示された装置、システム、及び方法の実施例を提供することを理解されたい。しかしながら、本開示の他の実装形態は、上述の実施例とは詳細において異なる場合があると考えられている。本開示及び本開示の実施例に対するすべての言及は、その時点で議論されている特定の実施例を参照することが意図されており、より概略的に本開示の範囲に対する何らかの限定を暗示することは意図されていない。特定の特徴に関する区別及び非難のあらゆる言葉は、それらの特徴に対する好みの欠如を示すことが意図されており、別途明示されていない限り、それらを本開示から全体的に除外することは意図されていない。本明細書に記載されたすべての方法は、本明細書に別途記載されていない限り、又は、文脈に明らかに矛盾していない限り、任意の適切な順序で行うことができる。
【図１】
2019024195.tif 000003
【図２】
2019024195.tif 000004
【図３】
2019024195.tif 000005
【図４】
2019024195.tif 000006
【外国語明細書】
2019024195000001.pdf
2019024195000002.pdf
2019024195000003.pdf
2019024195000004.pdf